(57)【要約】【課題】      釣竿の握り部のハンドルトリガーなどが破損したり傷付きの発生を防止した船釣り用釣竿保護部材を提供することである。【解決手段】  釣船の縁１には竿立て用の穴１ａが複数設けられている。  船釣り用釣竿保護部材２は弾性を有する天然ゴム、合成ゴム、エラストマーなどで中空の筒状からなる挿入部２ａと挿入部２ａの上側に外部に露出する挿入部２ａの外径より大径の露出部２ｂで構成され、挿入部２ａの外周と露出部２ｂの外周は傾斜状部２ｃを介して連結され、露出部２ｂと挿入部２ａの中心に挿入口２ｄが形成されて挿入部２ａの最大外径は竿立て用の穴１ａの直径より小径で、露出部２ｂの最大外径は竿立て用の穴１ａの直径より大径に構成されている。  露出部２ｂの上面は少なくとも柔軟性がある材料で構成されている。【選択図】        図２
2007295815.tif 000002
【特許請求の範囲】
【請求項１】
釣船の縁に設けた竿立て用の穴に挿入して固定する保護部材であって該保護部材は中空の筒状で前記竿立て用の穴に挿入される挿入部と前記穴から外部に露出する露出部で構成され、少なくとも前記露出部上面は柔軟性があることを特徴とする船釣り用釣竿保護部材。
【請求項２】
前記挿入部の最大外径は前記穴の直径よりも小さく、前記露出部の最大外径は前記穴の直径よりも大きいことを特徴とする請求項１記載の船釣り用釣竿保護部材。
【請求項３】
前記挿入部の外周と前記露出部の外周は傾斜状部を介して連結していることを特徴とする請求項１、２記載の船釣り用釣竿保護部材。
【請求項４】
前記挿入部の外周面よりも滑り摩擦抵抗の大きい抜け防止部材が該挿入部の外周面に取着されていることを特徴とする請求項１〜３記載の船釣り用釣竿保護部材。
【請求項５】
前記挿入部の外周面に該外周面より突出する突出部を設けたことを特徴とする請求項１〜４記載の船釣り用釣竿保護部材。
【請求項６】
前記各項記載の船釣り用釣竿保護部材を船竿とセットに組み合わせたことを特徴とする船竿と船釣り用釣竿保護部材のセット。
【発明の詳細な説明】
【技術分野】
【０００１】
本発明は、釣船の縁に設置された竿立て穴に挿入して使用する船釣り用釣竿保護部材及び船竿と船釣り用釣竿保護部材のセットに関する。
【背景技術】
【０００２】
釣船で釣りを行うとき、船の縁に設置された竿立て穴をそのまま竿立てに使用するか、もしくはその穴に特許文献１のような竿置き具を差し込み、この竿置き具の挿入口に釣竿を差し込んだり、竿受けに釣竿を置いて魚釣りをするかのいずれかであった。
前記船の縁に設置された竿立て穴や竿置き具の挿入口にリ−ルが装着された重みのある釣竿を差し込むと、釣竿の握り部のハンドルトリガ−など穴径や挿入口径より対向長が長いものが硬い船縁や挿入口の縁に当たって破損したり傷付きが発生する恐れがあった。
【特許文献１】実用新案登録第３０８４５４４号公報
【発明の開示】
【発明が解決しようとする課題】
【０００３】
解決しようとする問題点は、穴径や挿入口径より対向長が長い釣竿の握り部のハンドルトリガーなどが硬い船縁や挿入口の縁に当たって破損したり傷付きが発生することである。
【０００４】
本発明の目的は前記欠点に鑑み、釣竿の握り部のハンドルトリガーなどが破損したり傷付きの発生を防止した船釣り用釣竿保護部材の提供及び船竿と船釣り用釣竿保護部材のセットを提供することである。
【課題を解決するための手段】
【０００５】
請求項１に係わる本発明は、釣船の縁に設けた竿立て用の穴に挿入して固定する保護部材であって該保護部材は中空の筒状で前記竿立て用の穴に挿入される挿入部と前記穴から外部に露出する露出部で構成され、少なくとも前記露出部上面は柔軟性があることを要旨とするものである。
請求項２に係わる本発明は、前記挿入部の最大外径は前記穴の直径よりも小さく、前記露出部の最大外径は前記穴の直径よりも大きいことを要旨とするものである。
請求項３に係わる本発明は、前記挿入部の外周と前記露出部の外周は傾斜状部を介して連結していることを要旨とするものである。
請求項４に係わる本発明は、前記挿入部の外周面よりも滑り摩擦抵抗の大きい抜け防止部材が該挿入部の外周面に取着されていることを要旨とするものである。
請求項５に係わる本発明は、前記挿入部の外周面に該外周面より突出する突出部を設けたことを要旨とするものである。
請求項６に係わる本発明は、前記各項記載の船釣り用釣竿保護部材を船竿とセットに組み合わせたことを要旨とするものである。
【発明の効果】
【０００６】
本発明は請求項１によって、リ−ルを装着した状態で竿立て用の穴１ａに船竿を立てる際に、リ−ル６やハンドルトリガ−４ａのような竿立て用の穴１ａより対向長が長い突出部が船の縁に当り、破損や傷付きが発生する恐れがあるが、船釣り用釣竿保護部材２の露出部２ｂが少なくとも柔軟性が有る為、破損や傷付きが発生せず、硬質部材同士が当たる際の音や船竿のガタツキを抑えることができる。又、船竿のガタツキによって発生し易い仕掛けの絡まりを防ぐことができる。
請求項２によって、竿立て用の穴１ａの直径に対して船釣り用釣竿保護部材２の挿入部２ａと露出部２ｂの外径を適切に構成すると、船釣り用釣竿保護部材２がスム−ズに竿立て用の穴１ａに押し込めるし、安易に抜け落ちし難い。
請求項３によって、船釣り用釣竿保護部材２の挿入部２ａと露出部２ｂの間を傾斜状部２ｃで連結して傾斜状部２ｃが変形されるように押し込まれると、しっかり固定出来て抜け難い。
また竿立て用の穴１ａの直径がばらついても傾斜状部２ｃによって適用径範囲が広くなり、固定力に差が出難い。
請求項４、５によって、抜け防止部材７や突出部２ｅによって竿立て用の穴１ａの中でより密着して固定されるので、さらに抜け難くなる。
請求項６によって、船竿の後端部の外径に適した船釣り用釣竿保護部材をセットで提供することが出来、ユ−ザ−が別個に単体で購入する手間が省け、快適な船釣りが出来る。
【発明を実施するための最良の形態】
【０００７】
釣船の縁１には竿立て用の穴１ａが複数設けられている。
船釣り用釣竿保護部材２は弾性を有する天然ゴム、合成ゴム、エラストマーなどで中空の筒状からなる挿入部２ａと挿入部２ａの上側に外部に露出する挿入部２ａの外径より大径の露出部２ｂで構成され、挿入部２ａの外周と露出部２ｂの外周は傾斜状部２ｃを介して連結され、露出部２ｂと挿入部２ａの中心に挿入口２ｄが形成されている。
挿入部２ａの最大外径は竿立て用の穴１ａの直径より小径で、露出部２ｂの最大外径は竿立て用の穴１ａの直径より大径に構成されている。
露出部２ｂの上面は少なくとも柔軟性がある材料で構成されている。
【実施例１】
【０００８】
以下、本発明の実施例を図面に基づき説明すると、図１から図３は第１実施例で図１は船釣り用釣竿保護部材を釣船の縁に設けた竿立て用の穴に挿入した断面側面図、図２は船釣り用釣竿保護部材を釣船の縁に設けた竿立て用の穴に挿入して押し込んだ断面側面図、図３は釣竿の握り部を船釣り用釣竿保護部材の挿入口に挿入して立てた要部断面側面図である。
【０００９】
釣船の縁１には竿立て用の穴１ａが複数設けられている。
船釣り用釣竿保護部材２は弾性を有する天然ゴム、合成ゴム、エラストマーなどで中空の筒状からなる挿入部２ａと挿入部２ａの上側に外部に露出する挿入部２ａの外径より大径の露出部２ｂで構成され、挿入部２ａの外周と露出部２ｂの外周は傾斜状部２ｃを介して連結され、露出部２ｂと挿入部２ａの中心に挿入口２ｄが形成されている。
挿入部２ａの最大外径は竿立て用の穴１ａの直径より小径で、露出部２ｂの最大外径は竿立て用の穴１ａの直径より大径に構成されている。
露出部２ｂの上面は少なくとも柔軟性がある材料で構成されている。
露出部２ｂの柔軟性がある材料は相対的に硬質な挿入部２ａに対して柔軟性のある材料を貼着して露出部２ｂとしてもよい。
船釣り用釣竿保護部材２の合成ゴムの材料はエチレンビニルアセテ−ト（ＥＶＡ）、スチレンブタジエンゴム（ＳＢＲ）、ポリブタジエンゴム（ＢＲ）、ポリイソプレンゴム（ＩＲ）等である。
釣船で使用する釣竿３は握り部４の先端側に竿管５が固定され、握り部４のリ−ル装着部にリ−ル６が装着されている。
釣竿３は船釣り用釣竿保護部材２の挿入口２ｄの大きさに適合した握り部４を有する釣竿３を選択するとよい。
従って船釣り用釣竿３が販売される時は船釣り用釣竿保護部材２をセットにして販売することが好ましい。
【００１０】
釣船の縁１の竿立て用の穴１ａに船釣り用釣竿保護部材２の挿入部２ａが挿入されて押し込まれると、穴１ａの穴縁より中に傾斜状部２ｃが変形されて押し込まれる。
船釣り用釣竿保護部材２の挿入口２ｄに釣竿３の握り部４が挿入されると、握り部４の突出したハンドルトリガ−４ａは露出部２ｂの上面に載ることになる。
【００１１】
前記のように船釣り用釣竿保護部材２が構成されると、リ−ルを装着した状態で竿立て用の穴１ａに船竿を立てる際に、リ−ル６やハンドルトリガ−４ａのような竿立て用の穴１ａより対向長が長い突出部が船の縁に当り、破損や傷付きが発生する恐れがあるが、船釣り用釣竿保護部材２の露出部２ｂが少なくとも柔軟性が有る為、破損や傷付きが発生せず、硬質部材同士が当たる際の音や船竿のガタツキを抑えることができる。
竿立て用の穴１ａの直径に対して船釣り用釣竿保護部材２の挿入部２ａと露出部２ｂの外径を適切に構成すると、船釣り用釣竿保護部材２がスム−ズに竿立て用の穴１ａに押し込めるし、安易に抜け落ちし難い。
船釣り用釣竿保護部材２の挿入部２ａと露出部２ｂの間を傾斜状部２ｃで連結して傾斜状部２ｃが変形されるように押し込まれると、しっかり固定出来て抜け難い。
また竿立て用の穴１ａの直径がばらついても傾斜状部２ｃによって適用径範囲が広くなり、固定力に差が出難い。
【実施例２】
【００１２】
図４、図５は第２実施例で、図４は船釣り用釣竿保護部材の断面側面図、図５は船釣り用釣竿保護部材を釣船の縁に設けた竿立て用の穴に挿入して押し込んだ断面側面図である。
【００１３】
第２実施例では、船釣り用釣竿保護部材２の挿入部２ａの下側外周に挿入部２ａの外周面よりも滑り摩擦抵抗の大きい抜け防止部材７が挿入部２ａの外周面に取着されている。
他の構成は前記第１実施例と略同一である。
【００１４】
第２実施例のように船釣り用釣竿保護部材２が構成されると、抜け防止部材７によって竿立て用の穴１ａの中でより密着して固定されるので、第１実施例よりさらに抜け難くなる。
【実施例３】
【００１５】
図６、図７は第３実施例で、図６は船釣り用釣竿保護部材の断面側面図、図７は船釣り用釣竿保護部材を釣船の縁に設けた竿立て用の穴に挿入して押し込んだ断面側面図である。
【００１６】
第３実施例では、船釣り用釣竿保護部材２の挿入部２ａの下側外周に挿入部２ａの外周面より突出した複数の突出部２ｅが設けられている。
突出部２ｅは挿入部２ａと一体に成形してもよいし、別体に形成して挿入部２ａに取着してもよい。
他の構成は前記第１実施例と略同一である。
【００１７】
第３実施例のように船釣り用釣竿保護部材２が構成されると、突出部２ｅによって竿立て用の穴１ａの中でより密着して固定されるので、第２実施例同様に抜け難くなる。
【実施例４】
【００１８】
図８、図９は第４実施例で、図８は船釣り用釣竿保護部材の断面側面図、図９は船釣り用釣竿保護部材を釣船の縁に設けた竿立て用の穴に挿入して押し込んだ断面側面図である。
【００１９】
第４実施例では、傾斜状部のない船釣り用釣竿保護部材２の挿入部２ｆの外周上部で露出部２ｂの下側に吸盤８を嵌合している。
吸盤８は弾性を有する天然ゴムや合成ゴムで円形の皿状に形成され、吸盤部８ａの内側に閉塞片８ｂが形成されている。
吸盤８は吸盤部８ａを押し潰すことで船釣り用釣竿保護部材２が釣船の縁に止着される。
吸盤８は露出部２ｂの下側に接着固定してもよいし、弾性で挿入部２ｆの外周に止着するようにしてもよい。
他の構成は前記第１実施例と略同一である。
【００２０】
第４実施例のように船釣り用釣竿保護部材２が構成されると、吸盤８によって船釣り用釣竿保護部材２が釣船の縁から外れ難くなる。
尚、露出部２ｂと吸盤８の外径、内径を大径に形成し、挿入部２ｆの上側に第１実施例の傾斜状部を設けてもよい。
【実施例５】
【００２１】
図１０、図１１は第５実施例で、図１０は船釣り用釣竿保護部材の断面側面図、図１１は船釣り用釣竿保護部材を釣船の縁に設けた竿立て用の穴に挿入して押し込んだ断面側面図である。
【００２２】
第５実施例では、吸盤部２ｇが露出部２ｂの下側に一体に形成されている。
他の構成は前記第４実施例と略同一である。
【産業上の利用可能性】
【００２３】
船釣り用釣竿保護部材に広く利用できる。
【図面の簡単な説明】
【００２４】
【図１】第１実施例で、船釣り用釣竿保護部材を釣船の縁に設けた竿立て用の穴に挿入した断面側面図である。
【図２】同船釣り用釣竿保護部材を釣船の縁に設けた竿立て用の穴に挿入して押し込んだ断面側面図である。
【図３】同釣竿の握り部を船釣り用釣竿保護部材の挿入口に挿入して立てた要部断面側面図である。
【図４】第２実施例で、船釣り用釣竿保護部材の断面側面図である。
【図５】同船釣り用釣竿保護部材を釣船の縁に設けた竿立て用の穴に挿入して押し込んだ断面側面図である。
【図６】第３実施例で、船釣り用釣竿保護部材の断面側面図である。
【図７】同船釣り用釣竿保護部材を釣船の縁に設けた竿立て用の穴に挿入して押し込んだ断面側面図である。
【図８】第４実施例で、船釣り用釣竿保護部材の断面側面図である。
【図９】同船釣り用釣竿保護部材を釣船の縁に設けた竿立て用の穴に挿入して押し込んだ断面側面図である。
【図１０】第５実施例で、船釣り用釣竿保護部材の断面側面図である。
【図１１】同船釣り用釣竿保護部材を釣船の縁に設けた竿立て用の穴に挿入して押し込んだ断面側面図である。
【符号の説明】
【００２５】
１  釣船の縁
１ａ  竿立て用の穴
２  船釣り用釣竿保護部材
２ａ、２ｆ  挿入部
２ｂ  露出部
２ｃ  傾斜状部
２ｅ  突出部
７  抜け防止部材
【図１】
2007295815.tif 000003
【図２】
2007295815.tif 000004
【図３】
2007295815.tif 000005
【図４】
2007295815.tif 000006
【図５】
2007295815.tif 000007
【図６】
2007295815.tif 000008
【図７】
2007295815.tif 000009
【図８】
2007295815.tif 000010
【図９】
2007295815.tif 000011
【図１０】
2007295815.tif 000012
【図１１】
2007295815.tif 000013